(57)【要約】【課題】様々なメーカの各種電子装置が使用する赤外線信号を学習し、リモコン装置１つだけであらゆる電子装置を制御することができる赤外線学習リモコン装置を提供する。【解決手段】赤外線学習リモコン装置１は、赤外線受信ユニット１１、赤外線分析ユニット１２、処理ユニット１３、選択ユニット１５、赤外線生成ユニット１６及び赤外線送信ユニット１７を備える。赤外線受信ユニット１１は、外部の赤外線信号Ｓ０を受信する。赤外線分析ユニット１２は、赤外線受信ユニット１１に接続されて赤外線受信ユニット１１が受信した赤外線信号Ｓ０を取り出し、赤外線信号Ｓ０が終了するまで分割して取り出す方式により、１分割分又は複数分割分を取り出し、それで取り出した赤外線信号Ｓ０を分析して組み合わせて赤外線制御コードデータＤを生成する。処理ユニット１３は、赤外線分析ユニット１２に接続されて赤外線制御コードデータＤをインデックスデータＩに対応させて記憶ユニット１４中に記憶させる。【選択図】図２
0003169605.tif 000002
【実用新案登録請求の範囲】
【請求項１】
赤外線受信ユニット、赤外線分析ユニット、処理ユニット、選択ユニット、赤外線生成ユニット及び赤外線送信ユニットを備える赤外線学習リモコン装置であって、
前記赤外線受信ユニットは、外部の赤外線信号を受信し、
前記赤外線分析ユニットは、前記赤外線受信ユニットに接続されて前記赤外線受信ユニットが受信した赤外線信号を取り出し、前記赤外線信号が終了するまで分割して取り出す方式により１分割分又は複数分割分を取り出し、それで前記取り出した赤外線信号を分析して組み合わせて赤外線制御コードデータを生成し、
前記処理ユニットは、前記赤外線分析ユニットに接続されて前記赤外線制御コードデータをインデックスデータに対応させて記憶ユニット中に記憶させ、
前記選択ユニットは、前記処理ユニットに接続されて複数の前記インデックスデータのなかから特定のインデックスデータを１つだけ選択し、
前記赤外線生成ユニットは、前記処理ユニットに接続されて前記処理ユニットの制御下で、前記選定したインデックスデータに対応した前記赤外線制御コードデータに基づき、赤外線リモコン信号を生成し、
前記赤外線送信ユニットは、前記赤外線生成ユニットに接続されて前記赤外線リモコン信号を送信することを特徴とする赤外線学習リモコン装置。
【請求項２】
前記赤外線制御コードデータは、符号化データ及び搬送波データを含むことを特徴とする請求項１に記載の赤外線学習リモコン装置。
【請求項３】
前記赤外線分析ユニットは、取り出した前記１分割分の赤外線信号中に、前記赤外線制御コードデータが含まれていない場合、前記赤外線信号が終了したと判断することを特徴とする請求項１に記載の赤外線学習リモコン装置。
【請求項４】
前記赤外線分析ユニットは、所定時間内に取り出した前記１分割分の赤外線信号中に、前記赤外線制御コードデータが含まれていない場合、前記赤外線信号が終了したと判断することを特徴とする請求項１に記載の赤外線学習リモコン装置。
【請求項５】
前記処理ユニットに接続され、後面設備を接続する伝送インターフェイスユニットをさらに備えることを特徴とする請求項１に記載の赤外線学習リモコン装置。
【請求項６】
前記伝送インターフェイスユニットはＵＳＢプラグであることを特徴とする請求項５に記載の赤外線学習リモコン装置。
【請求項７】
前記後面設備はコンピュータであることを特徴とする請求項５に記載の赤外線学習リモコン装置。
【請求項８】
前記選択ユニットは、表示スクリーン及び数字キー群を含むことを特徴とする請求項１に記載の赤外線学習リモコン装置。
【請求項９】
前記赤外線送信ユニットは、それぞれ異なる方向に向けて複数配置されることを特徴とする請求項１に記載の赤外線学習リモコン装置。
【請求項１０】
前記赤外線送信ユニットには、前記赤外線送信ユニットの向きを調整することが可能な角度調整機構が接続されていることを特徴とする請求項１に記載の赤外線学習リモコン装置。
【考案の詳細な説明】
【技術分野】
【０００１】
本考案は、赤外線リモコン装置に関し、特に、赤外線学習リモコン装置に関する。
【背景技術】
【０００２】
科学技術の発展に伴い、人々が使用する電子装置は、付属のリモコン装置を利用し、離れた場所から遠隔操作することができる。このリモコン装置は、特殊な制御コードを含む赤外線信号を電子装置の受信装置へ送信し、赤外線信号に対応した動作を電子装置に行わせることにより遠隔制御を行う。
【０００３】
しかし、電子装置が用いる赤外線信号はそれぞれ異なるため、各メーカの電子装置もそれぞれ異なる赤外線信号を使用して遠隔制御を行っている。そのため、各電子装置は、それぞれに対応した異なるリモコン装置を用いて遠隔制御を行う必要があり、使用する際、しばしば正しいリモコン装置を直ちに見つけることは困難なことであり、ユーザにとって不便である。また、リモコン装置の数が多い場合、電池にかかるコストが増える上、複数のリモコン装置を同時に携帯することは不便であり、電子装置を便利に遠隔制御することができるという利点が失われてしまう。
【０００４】
上述の従来技術の欠点に鑑み、一部のメーカは、多種類の電子装置を制御することができる汎用リモコンを開発している。しかし、このような汎用リモコンは、全てのメーカの電子装置が使用している赤外線信号をリモコンに予め記憶させておくことができないため、記憶されていない電子装置に対しては遠隔制御を行うことができない。
【考案の概要】
【考案が解決しようとする課題】
【０００５】
従来、各電子装置それぞれに対して異なるリモコン装置を使用する必要があるため、使用が不便である上、従来の汎用リモコンは、予め設定した電子装置しか遠隔制御することができず、ユーザのニーズを満たすことができなかった。
本考案の目的は、様々なメーカの各種電子装置が使用する赤外線信号を学習し、リモコン装置１つだけであらゆる電子装置を制御することができる赤外線学習リモコン装置を提供することにある。
【課題を解決するための手段】
【０００６】
上記課題を解決するために、本考案の第１の形態によれば、赤外線受信ユニット、赤外線分析ユニット、処理ユニット、選択ユニット、赤外線生成ユニット及び赤外線送信ユニットを備える赤外線学習リモコン装置であって、前記赤外線受信ユニットは、外部の赤外線信号を受信し、前記赤外線分析ユニットは、前記赤外線受信ユニットに接続され、前記赤外線受信ユニットが受信した赤外線信号を取り出し、前記赤外線信号が終了するまで、分割して取り出す方式により、１分割分又は複数分割分を取り出し、前記取り出した赤外線信号を分析して組み合わせ、赤外線制御コードデータを生成し、前記処理ユニットは、前記赤外線分析ユニットに接続され、前記赤外線制御コードデータをインデックスデータに対応させて記憶ユニット中に記憶させ、前記選択ユニットは、前記処理ユニットに接続され、複数の前記インデックスデータのなかから特定のインデックスデータを１つだけ選択し、前記赤外線生成ユニットは、前記処理ユニットに接続され、前記処理ユニットの制御下で、前記選定したインデックスデータに対応した前記赤外線制御コードデータに基づき、赤外線リモコン信号を生成し、前記赤外線送信ユニットは、前記赤外線生成ユニットに接続され、前記赤外線リモコン信号を送信することを特徴とする赤外線学習リモコン装置が提供される。
【０００７】
前記赤外線制御コードデータは、符号化データ及び搬送波データを含むことが好ましい。
【０００８】
前記赤外線分析ユニットは、取り出した前記１分割分の赤外線信号中に、前記赤外線制御コードデータが含まれていない場合、前記赤外線信号が終了したと判断することが好ましい。
【０００９】
前記赤外線分析ユニットは、所定時間内に取り出した前記１分割分の赤外線信号中に、前記赤外線制御コードデータが含まれていない場合、前記赤外線信号が終了したと判断することが好ましい。
【００１０】
前記処理ユニットに接続され、後面設備を接続する伝送インターフェイスユニットをさらに備えることが好ましい。
【００１１】
前記伝送インターフェイスユニットはＵＳＢプラグであることが好ましい。
【００１２】
前記後面設備はコンピュータであることが好ましい。
【００１３】
前記選択ユニットは、表示スクリーン及び数字キー群を含むことが好ましい。
【００１４】
前記赤外線送信ユニットは、それぞれ異なる方向に向けて複数配置されることが好ましい。
【００１５】
前記赤外線送信ユニットには、前記赤外線送信ユニットの向きを調整することが可能な角度調整機構が接続されていることが好ましい。
【考案の効果】
【００１６】
本考案の赤外線学習リモコン装置は、以下（１）及び（２）の効果を有する。
（１）様々なメーカの各種電子装置のリモコン装置から送信される赤外線信号を学習し、学習した赤外線信号を利用して電子装置を制御することができる上、１台の赤外線学習リモコン装置だけで、様々なメーカの各種電子装置を制御することができるため、容易に持ち運んだり使用したりすることができる。
（２）コンピュータなどの後面設備と接続することが可能なため、精密に制御したり管理したりすることができる上、電子装置を遠隔制御する方式が手動でなく、コンピュータで自動化制御するため、ユーザの生活の快適性及び利便性を向上させることができる。
【図面の簡単な説明】
【００１７】
【図１】図１は、本考案の一実施形態による赤外線学習リモコン装置を示す斜視図である。
【図２】図２は、本考案の一実施形態による赤外線学習リモコン装置を示す回路ブロック図である。
【図３】図３は、本考案の他の実施形態による赤外線学習リモコン装置を示す回路ブロック図である。
【図４】図４は、本考案の他の実施形態による赤外線学習リモコン装置を示す回路ブロック図である。
【考案を実施するための形態】
【００１８】
以下、本考案の実施形態について、図示に基づいて詳しく説明する。なお、これによって本考案が限定されるものではない。
【００１９】
図１及び図２を参照する。図１及び図２に示すように、本考案の一実施形態による赤外線学習リモコン装置は、少なくとも赤外線受信ユニット１１、赤外線分析ユニット１２、処理ユニット１３、記憶ユニット１４、選択ユニット１５、赤外線生成ユニット１６、赤外線送信ユニット１７及び伝送インターフェイスユニット１８から構成される。
【００２０】
赤外線受信ユニット１１は、外部の赤外線信号Ｓ０を受信するために用いる。例えば、赤外線受信ユニット１１は、遠隔操作しようとする電子装置のリモコン装置から発信された赤外線信号を受信するために用いる。
【００２１】
赤外線分析ユニット１２は、赤外線受信ユニット１１に接続される。赤外線受信ユニット１１が赤外線信号Ｓ０を受信すると、赤外線分析ユニット１２は、赤外線受信ユニット１１が受信した赤外線信号Ｓ０を取り出す。
【００２２】
各メーカの各種電子装置が採用している赤外線信号の信号長さが異なるため、従来の信号を取り出す方式では、信号が長い場合、完全に取り出すことができない場合がある。即ち、取り出した信号が不完全となりエラーが発生するおそれがある。
【００２３】
信号を完全に取り出すために、本実施形態の赤外線分析ユニット１２が赤外線信号Ｓ０を取り出す際、赤外線信号Ｓ０が終了するまで、分割して取り出す方式により、１分割分又は複数分割分を取り出す。赤外線分析ユニット１２は、取り出した赤外線信号Ｓｐを分析して組み合わせ、赤外線制御コードデータＤを生成する。赤外線制御コードデータＤは、赤外線信号Ｓ０が含む符号化コマンドを表す符号化データＤ１と、赤外線信号Ｓ０が使用する搬送波形式を表す搬送波データＤ２と、を含んでもよい。
【００２４】
赤外線分析ユニット１２により赤外線信号Ｓ０が終了したか否かを判断する態様には様々なものがある。例えば、赤外線分析ユニット１２が取り出した１分割分の赤外線信号中に、赤外線制御コードデータＤが含まれていない場合、赤外線信号Ｓ０が終了したと判断する。また、例えば、赤外線分析ユニット１２が所定の時間内に取り出した赤外線信号の分割分に赤外線制御コードデータＤが含まれていない場合、赤外線信号Ｓ０が終了したと判断する。しかし、本考案は、これらの態様だけに限定されるのではなく、赤外線分析ユニット１２を利用して赤外線信号Ｓ０が終了したことを判断することができる限り、他の態様でもよい。
【００２５】
処理ユニット１３は、赤外線分析ユニット１２に接続され、赤外線分析ユニット１２が分析して生成した赤外線制御コードデータＤをインデックスデータＩに対応させ、記憶ユニット１４に記憶させる。記憶ユニット１４の中には、インデックスデータＩ及び赤外線制御コードデータＤの対照表（ｌｏｏｋｕｐ  ｔａｂｌｅ）が構築される。
【００２６】
選択ユニット１５は、処理ユニット１３に接続される。この選択ユニット１５は、制御パネルである。本実施形態の選択ユニット１５は、表示スクリーン１５１及び数字キー群１５２を含む。数字キー群１５２を用いて１組の数字を入力し、複数のインデックスデータＩのなかから特定のインデックスデータを１つだけ選択する。処理ユニット１３は、選択ユニット１５が選定したインデックスデータに基づき、対照表を利用して対応した赤外線制御コードデータを判断してから後続の動作を行う。表示スクリーン１５１は、ユーザが容易に選択することができるように、数字キー群１５２により入力されたデータや選択した機能やその他の情報を表示するために用いる。記憶ユニット１４には、容量が許す限り、大量のデータ（例えば、インデックスデータＩ、赤外線制御コードデータＤなど）を記憶させることができる。本実施形態は、リモコン装置の１つのデータに対して１つのキーを対応させる従来の配置方式と異なり、データの量が大量でも、数字キー群１５２によりこれらのデータから必要なデータを選択することができる。そのため、必要な配置空間が減り、赤外線学習リモコン装置１を小型化することができる。
【００２７】
赤外線生成ユニット１６は、処理ユニット１３に接続され、この処理ユニット１３の制御下で、選定したインデックスデータＩに対応した赤外線制御コードデータＤに基づき、赤外線リモコン信号Ｓ１を生成させる。即ち、選定した符号化データＤ１を生成し、選定した搬送波データＤ２により搬送された赤外線リモコン信号Ｓ１を使用する。この赤外線リモコン信号Ｓ１は、従来の赤外線学習リモコン装置１が受信して学習する赤外線信号Ｓ０と同様の機能を有し、赤外線生成ユニット１６に接続された赤外線送信ユニット１７から発信され、電子装置を遠隔制御することができる。
【００２８】
上述の構成により、赤外線学習リモコン装置１は、様々なメーカの各種電子装置のリモコン装置から送信される赤外線信号を受信して学習した後、検索及び使用に便利なように、これらの赤外線信号を一つ々々保存して対照表を構築する。学習した赤外線信号を利用し、複数の電子装置を制御することができるため、使用したり携帯したりするのに非常に便利である。
【００２９】
また、赤外線学習リモコン装置１は伝送インターフェイスユニット１８を含む。この伝送インターフェイスユニット１８は、処理ユニット１３に接続され、後面設備２（例えば、コンピュータ）を接続するために用いる。伝送インターフェイスユニット１８は、本実施形態ではＵＳＢプラグであり、後面設備２のＵＳＢ接続ポートに嵌合接続し、後面設備２により赤外線学習リモコン装置１を操作し、後面設備２と赤外線学習リモコン装置１との間でデータ通信を行う。ここで、赤外線学習リモコン装置１は、必ずしも学習方式により取得しなくともよく、例えば、電子装置の赤外線制御コードデータＤを後面設備２からダウンロードして取得してもよい。
【００３０】
また、赤外線学習リモコン装置１は、接続された後面設備２を用いることにより細かな操作を行うことができる。例えば、後面設備２を利用し、各種イベントの発生を設定し、赤外線学習リモコン装置１により各電子装置を自動的に遠隔操作したりすることもできる。例えば、所定の時間に、テレビ又はステレオをオンし、気温が高いことをセンサが感知すると、クーラーをオンしたり、ＵＳＢ接続ポートを利用して赤外線学習リモコン装置１を充電することにより電池の消耗を減らしたりすることもできる。
【００３１】
図３を参照する。図３に示すように、赤外線学習リモコン装置１ａの赤外線送信ユニット１７には、赤外線送信ユニット１７の方向を調整するために用いる角度調整機構１７１を接続してもよい。これにより、赤外線送信ユニット１７から送信される赤外線リモコン信号Ｓ１の方向を変えることができる。即ち、赤外線学習リモコン装置１ａを向ける方向を固定しても（例えば、ＵＳＢプラグを後面設備２に嵌合接続する）、赤外線送信ユニット１７の方向を調整することにより、電子装置は赤外線リモコン信号Ｓ１を受信することができる。
【００３２】
図４を参照する。図４に示すように、赤外線学習リモコン装置１ｂは、複数の異なる方向に向けて配置された赤外線送信ユニット１７ａ，１７ｂ，１７ｃを含む。これらの赤外線送信ユニット１７ａ，１７ｂ，１７ｃは、赤外線リモコン信号Ｓ１ａ，Ｓ１ｂ，Ｓ１ｃを異なる方向へ送信させるために用いられる。本実施形態の赤外線学習リモコン装置は、このように複数の赤外線送信ユニット１７ａ，１７ｂ，１７ｃを使用するため、電子装置の位置にかかわらず、赤外線学習リモコン装置１ｂから赤外線リモコン信号を受信することができる上、信号間の干渉を防いで良好な通信機能を得ることができる。
【００３３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３４】
１  赤外線学習リモコン装置
１ａ  赤外線学習リモコン装置
１ｂ  赤外線学習リモコン装置
２  後面設備
１１  赤外線受信ユニット
１２  赤外線分析ユニット
１３  処理ユニット
１４  記憶ユニット
１５  選択ユニット
１６  赤外線生成ユニット
１７  赤外線送信ユニット
１７ａ  赤外線送信ユニット
１７ｂ  赤外線送信ユニット
１７ｃ  赤外線送信ユニット
１８  伝送インターフェイスユニット
１５１  表示スクリーン
１５２  数字キー群
１７１  角度調整機構
Ｄ  赤外線制御コードデータ
Ｄ１  符号化データ
Ｄ２  搬送波データ
Ｉ  インデックスデータ
Ｓ０  赤外線信号
Ｓ１  赤外線リモコン信号
Ｓ１ａ  赤外線リモコン信号
Ｓ１ｂ  赤外線リモコン信号
Ｓ１ｃ  赤外線リモコン信号
Ｓｐ  赤外線信号
【図１】
0003169605.tif 000003
【図２】
0003169605.tif 000004
【図３】
0003169605.tif 000005
【図４】
0003169605.tif 000006